(57)【要約】【課題】  各観戦者の行動に起因させて各スポーツ観戦の興趣性を向上させるとともに、スポーツの競技場における観客動員数を増加させ、競技場の雰囲気を盛り上げて白熱した試合を提供させることのできるスポーツに関する成績情報提供システムを提供すること。【解決手段】  情報提供システム１００は、観戦者が競技場に来場した際に、その入場時刻および退場時刻を検出する入退場検出装置１１０と、スポーツを行うチームまたは当該チームに所属するスポーツ選手の競技中の成績を示す成績情報が時刻に対応づけて登録される成績情報データベース１２３と、登録された入場時刻および退場時刻と、成績情報データベース１２３に登録されている成績情報と、に基づいて、観戦者が競技場に来場している際のチームまたは各スポーツ選手の少なくとも何れか一方の成績を集計する集計処理部１２４と、集計された各観戦者が競技場に来場している際の成績を各観戦者の成績情報として提供する端末装置１３０と、を備える構成を有している。【選択図】      図１
2006236271.tif 000002
【特許請求の範囲】
【請求項１】
スポーツ競技を観戦する観戦者の観戦履歴に対応づけられて競技場にて競技を行っているスポーツの成績を提供するスポーツに関する成績情報提供システムであって、
前記観戦者が前記スポーツの競技場に来場した際に、当該観戦者の競技場における入場時刻および退場時刻を検出する検出手段と、
スポーツを行うチームまたは当該チームに所属するスポーツ選手の少なくとも何れか一方の前記競技中の成績を示す成績情報が時刻に対応づけて登録される成績情報保持手段と、
前記検出された観戦者の競技場における入場時刻および退場時刻と、前記成績情報保持手段に登録されている成績情報と、に基づいて、前記観戦者が競技場に来場している際の前記チームまたは各スポーツ選手の少なくとも何れか一方の成績を算出する算出手段と、
算出された前記各観戦者が競技場に来場している際の成績を各観戦者の成績情報として提供する提供手段と、
を備えることを特徴とするスポーツに関する成績情報提供システム。
【請求項２】
請求項１に記載のスポーツに関する成績情報提供システムであって、
複数の前記観戦者に対して前記成績情報を提供する場合に、
前記算出手段が、各観戦者毎に、当該観戦者が競技場に来場している際の前記チームまたは各スポーツ選手の少なくとも何れか一方の成績を算出するとともに、前記提供手段が、各観戦者の成績情報を、順位を付与して提供することを特徴とするスポーツに関する成績情報提供システム。
【請求項３】
スポーツ競技を観戦する観戦者の観戦履歴に対応づけられて競技場にて競技を行っているスポーツの成績を提供するスポーツに関する成績情報提供システムのサーバ装置であって、
前記観戦者が前記スポーツの競技場に来場した際に、検出手段によって検出された当該観戦者の競技場における入場時刻および退場時刻の来場情報を取得する取得手段と、
スポーツを行うチームまたは当該チームに所属するスポーツ選手の少なくとも何れか一方の前記競技中の成績を示す成績情報が時刻に対応づけて登録される成績情報保持手段と、
前記取得された来場情報および予め成績情報保持手段に登録されている成績情報に基づいて、前記観戦者が競技場に来場している際の前記チームまたは各スポーツ選手の少なくとも何れか一方の成績を算出する算出手段と、
算出された前記各観戦者が競技場に来場している際の成績を各観戦者の成績情報として提供手段に提供するための制御を行う制御手段と、
を備えることを特徴とするスポーツに関する成績情報提供システムのサーバ装置。
【発明の詳細な説明】
【技術分野】
【０００１】
本発明は、スポーツにおける各スポーツ選手の成績を提供する提供システムの技術分野に属する。
【背景技術】
【０００２】
近年、野球、サッカー等の各スポーツの観戦において、スポーツの試合自体を興趣するとともに、当該スポーツを行うチームのチーム成績または各スポーツ選手の個人成績を基に、観戦に興じるようになっている。特に、最近では、スポーツの試合自体の他にも各スポーツ選手の個人の成績優秀者になること、すなわち、タイトルを取ることに関しても、観戦者の関心が集まっている。
【０００３】
このような状況の中、最近では、各スポーツ選手の成績に関連付けて、観戦者の順位付けを行う新たな興趣方法が考案されている。
【０００４】
具体的には、この興趣方法は、ファンタジースポーツ（登録商標：登録番号第４０５９９７０号）と呼ばれ、観戦者が、各スポーツの一シーズンを通して行われるリーグ戦中に、同一チーム内に制限されずに、好きなチームの好きな選手を選択し、当該選択されたチームに所属する各選手の個人成績に基づいて、各観戦者の順位付けが行われるようになっている（例えば、非特許文献１）。
【非特許文献１】ファンタジーベースボールの説明［online］、［平成１７年２月２２日検索］、インターネット＜http://jbaseball.fsjsports.com/rules/jintro.html＞
【発明の開示】
【発明が解決しようとする課題】
【０００５】
しかしながら、上述の興趣方法にあっては、各スポーツチームの成績、または、各スポーツ選手の個人成績のみによって順位付けが行われ、各観戦者の行動に起因することがないので、当該観戦者においては興趣に欠ける場合がある。また、この興趣方法にあっては、当該スポーツが行われる競技場にて行う観戦（以下、「競技場観戦」という。）をしなくても、当該スポーツの試合を放送する放送番組を視聴することによって観戦を行うラジオ放送またはテレビジョン放送による観戦（以下、「テレビ観戦」という。）により、または、全く観戦しなくても新聞その他の情報によって各個人成績の情報を取得することにより、興趣することができるので、スポーツの競技場における観客動員数を増加させ、競技場の雰囲気を盛り上げて白熱した試合を提供させ、試合そのものを興趣させるというスポーツの試合本来の興趣を阻害する面も有している。
【０００６】
本発明は、上記の課題の一例を解決するものとして、各観戦者の行動に起因させて各スポーツ観戦の興趣性を向上させるとともに、スポーツの競技場における観客動員数を増加させ、競技場の雰囲気を盛り上げて白熱した試合を提供させることのできるスポーツに関する成績情報提供システムを提供することにある。
【課題を解決するための手段】
【０００７】
上記の課題を解決するために、請求項１に記載の発明は、スポーツ競技を観戦する観戦者の観戦履歴に対応づけられて競技場にて競技を行っているスポーツの成績を提供するスポーツに関する成績情報提供システムであって、前記観戦者が前記スポーツの競技場に来場した際に、当該観戦者の競技場における入場時刻および退場時刻を検出する検出手段と、スポーツを行うチームまたは当該チームに所属するスポーツ選手の少なくとも何れか一方の前記競技中の成績を示す成績情報が時刻に対応づけて登録される成績情報保持手段と、前記検出された観戦者の競技場における入場時刻および退場時刻と、前記成績情報保持手段に登録されている成績情報と、に基づいて、前記観戦者が競技場に来場している際の前記チームまたは各スポーツ選手の少なくとも何れか一方の成績を算出する算出手段と、算出された前記各観戦者が競技場に来場している際の成績を各観戦者の成績情報として提供する提供手段と、を備える構成を有している。
【０００８】
この構成により、請求項１に記載の発明は、検出された観戦者の競技場における入場時刻および退場時刻と、登録されている成績情報と、に基づいて、観戦者が競技場に来場している際のチームまたは各スポーツ選手の少なくとも何れか一方の成績を算出するとともに、算出された各観戦者が競技場に来場している際の成績を各観戦者の成績情報として提供する。
【０００９】
したがって、請求項１に記載の発明は、各観戦者の行動に起因させてスポーツチームまたは各スポーツチームの各スポーツ選手の成績を提供することができるので、試合自体を興趣させることができるとともに、チーム成績および各選手の成績についても異なる視点から興趣させることができる。この結果、請求項１に記載の発明は、各スポーツ観戦の興趣性を向上させるとともに、スポーツの競技場における観客動員数を増加させ、競技場の雰囲気を盛り上げて白熱した試合を提供させることができる。
【００１０】
また、請求項２に記載の発明は、請求項１に記載のスポーツに関する成績情報提供システムであって、複数の前記観戦者に対して前記成績情報を提供する場合に、前記算出手段が、各観戦者毎に、当該観戦者が競技場に来場している際の前記チームまたは各スポーツ選手の少なくとも何れか一方の成績を算出するとともに、前記提供手段が、各観戦者の成績情報を、順位を付与して提供する構成を有している。
【００１１】
この構成により、請求項２に記載の発明は、各観戦者毎に、当該観戦者が競技場に来場している際のチームまたは各スポーツ選手の少なくとも何れか一方の成績を算出するとともに、各観戦者の成績情報を、順位を付与して提供する。
【００１２】
したがって、請求項２に記載の発明は、各観戦者の成績情報を、順位を付与して提供することによって試合自体を興趣させることができるとともに、チーム成績および各選手の成績についても異なる視点から興趣させることができる。この結果、請求項１に記載の発明は、各スポーツ観戦の興趣性を向上させるとともに、スポーツの競技場における観客動員数を増加させ、競技場の雰囲気を盛り上げて白熱した試合を提供させることができる。
【００１３】
また、請求項３に記載の発明は、スポーツ競技を観戦する観戦者の観戦履歴に対応づけられて競技場にて競技を行っているスポーツの成績を提供するスポーツに関する成績情報提供システムのサーバ装置であって、前記観戦者が前記スポーツの競技場に来場した際に、検出手段によって検出された当該観戦者の競技場における入場時刻および退場時刻の来場情報を取得する取得手段と、スポーツを行うチームまたは当該チームに所属するスポーツ選手の少なくとも何れか一方の前記競技中の成績を示す成績情報が時刻に対応づけて登録される成績情報保持手段と、前記取得された来場情報および予め成績情報保持手段に登録されている成績情報に基づいて、前記観戦者が競技場に来場している際の前記チームまたは各スポーツ選手の少なくとも何れか一方の成績を算出する算出手段と、算出された前記各観戦者が競技場に来場している際の成績を各観戦者の成績情報として提供手段に提供するための制御を行う制御手段と、を備える構成を有している。
【００１４】
この構成により、請求項３に記載の発明は、検出された観戦者の競技場における入場時刻および退場時刻と、登録されている成績情報と、に基づいて、観戦者が競技場に来場している際のチームまたは各スポーツ選手の少なくとも何れか一方の成績を算出するとともに、算出された各観戦者が競技場に来場している際の成績を各観戦者の成績情報として提供する。
【００１５】
したがって、請求項３に記載の発明は、各観戦者の行動に起因させてスポーツチームまたは各スポーツチームの各スポーツ選手の成績を提供することができるので、試合自体を興趣させることができるとともに、チーム成績および各選手の成績についても異なる視点から興趣させることができる。この結果、請求項３に記載の発明は、各スポーツ観戦の興趣性を向上させるとともに、スポーツの競技場における観客動員数を増加させ、競技場の雰囲気を盛り上げて白熱した試合を提供させることができる。
【発明を実施するための最良の形態】
【００１６】
次に、本発明に好適な実施の形態について、図面に基づいて説明する。
【００１７】
なお、以下に説明する実施の形態は、ユーザの携帯用電話装置などの携帯端末装置を用いつつ、当該各ユーザにスポーツに関する成績の情報を提供する情報提供システムに対して本発明を適用した場合の実施形態である。また、以下の実施形態では、スポーツの試合の例示として野球の試合を用いて説明する。
【００１８】
まず、図１を用いて本実施形態における情報提供システムの構成について説明する。なお、図１は、本願に係る情報提供システムの構成を示すブロック図である。
【００１９】
本実施形態の情報提供システム１００は、各スポーツが行われる競技場内に設置された観戦者Ｐの当該競技場内への入退場を検出する入退場検出装置１１０と、各スポーツチームの成績の情報（以下、「チーム成績情報」という。）および各チームのスポーツ選手の成績の情報（以下、「個人成績情報」という。）を登録し、各観戦者Ｐの入退場の情報に基づいて各観戦者Ｐの競技場における観戦履歴に対応付けて当該チーム成績情報および個人成績情報を観戦者成績情報として算出して提供するサーバ装置１２０と、提供された観戦者成績情報を閲覧する端末装置１３０と、から構成されており、入退場検出装置１１０、サーバ装置１２０および端末装置１３０は、通信回線網１４０を介して接続されるようになっている。
【００２０】
なお、例えば、本実施形態の入退場検出装置１１０は、本発明の検出手段を構成し、サーバ装置１２０は、本発明の取得手段、成績情報保持手段、算出手段、および、提供制御手段を構成する。また、例えば、本実施形態の端末装置１３０は、本実施形態の提供手段を構成する。
【００２１】
この情報提供システム１００は、予め登録された観戦者Ｐの各競技場内における入退場の時刻に基づいて各観戦者Ｐの競技場における滞在の有無および当該観戦者Ｐが競技場内に滞在している時刻（以下、「滞在時刻」という。）を検出するようになっている。
【００２２】
また、この情報提供システム１００は、各競技場にて行われているスポーツの試合において、各チームの成績および当該各チームの各選手の成績を現在時刻に対応付けて登録するようになっており、当該各観戦者Ｐの滞在時刻に対応付けて、当該各チーム成績情報および個人成績情報を集計し、各観戦者Ｐ毎に、各成績情報を観戦者成績情報として端末装置１３０に閲覧可能に提供するようになっている。
【００２３】
入退場検出装置１１０は、各競技場内の所定の場所に設置されるようになっており、各観戦者Ｐが有している携帯用電話装置Ｍを当該入退場検出装置１１０の一部に接触させると、当該携帯用電話装置Ｍの内部のメモリに格納されているＵＩＤ（User ID）などの各携帯電話装置固有の識別情報（以下、「携帯識別情報」という。）を取得し、当該取得された識別情報を、競技場の識別情報（以下、「競技場識別情報」という。）および当該競技条への入場を示す入場情報および当該競技場からの退場を示す退場情報とともに、サーバ装置１２０に通信回線網を介して送信するようになっている。
【００２４】
例えば、本実施形態では、携帯用電話装置Ｍには、非接触型ＩＣカードが搭載されており、本実施形態の入退場検出装置１１０は、当該非接触型ＩＣカードに記憶された情報を読み出すための情報読み取り装置が搭載されるようになっている。そして、本実施形態の入退場検出装置１１０は、当該情報読み取り装置の読み取った携帯識別情報、競技場識別情報を含む入場情報および退場情報を観戦者情報（以下、「来場情報」ともいう。）としてサーバ装置１２０に送信するようになっている。
【００２５】
また、この入退場検出装置１１０は、現在時刻を示すタイマを有し、携帯識別情報を取得した際に、現在時刻を認識し、取得された携帯識別情報を送信する際に、当該携帯識別情報とともに現在時刻の情報（以下、「現在時刻情報」という。）を観戦者情報の一部としてサーバ装置１２０に送信するようになっている。
【００２６】
サーバ装置１２０には、現在時刻に対応付けてチーム成績情報および個人成績情報が予め格納されるとともに、観戦者Ｐの名称を示す名称情報が携帯用電話装置Ｍの携帯識別情報に対応付けられて予め格納されている。また、このサーバ装置１２０は、各入退場検出装置１１０から送信された携帯識別情報および当該携帯識別情報における現在時刻情報を取得するようになっており、当該取得された携帯識別情報と一致する携帯識別情報を検索し、観戦者Ｐの各競技場における観戦履歴を算出するようになっている。そして、このサーバ装置１２０は、当該算出された観戦履歴に基づいて、チーム成績情報および個人成績情報を集計する集計処理を行うようになっており、当該集計処理された各観戦者Ｐ毎のチーム成績情報および個人成績情報を観戦者成績情報として端末装置１３０の指示に基づいて当該端末装置１３０に提供するようになっている。
【００２７】
なお、本実施形態のサーバ装置１２０の構成およびその動作の詳細については、後述する。
【００２８】
端末装置１３０は、主に観戦者Ｐがサーバ装置１２０によって提供された観戦者成績情報を閲覧するために用いられるようになっており、パーソナルコンピュータなどの通信端末装置から構成されている。例えば、この端末装置１３０は、閲覧操作を行うための入力インターフェース（以下、「端末装置用入力Ｉ／Ｆ」という。）と、観戦者成績情報を表示する表示部と、観戦者Ｐの操作に基づいてサーバ装置１２０と通信を行い、観戦者成績情報を当該サーバ装置１２０から取得する通信部と、を有し、サーバ装置１２０から提供された観戦者成績情報を観戦者Ｐに閲覧させることができるようになっている。
【００２９】
次に、本実施形態のサーバ装置１２０の構成およびその動作について説明する。
【００３０】
サーバ装置１２０は、図１に示すように、入退場検出装置１１０または端末装置１３０と通信を行う通信制御部１２１と、観戦者情報を格納する観戦者データベース１２２と、チーム成績情報および個人成績情報が登録され、格納される成績情報データベース１２３と、観戦者成績情報を集計処理する集計処理部１２４と、を有し、集計された観戦者成績情報を端末装置１３０に提供するようになっている。
【００３１】
また、このサーバ装置１２０は、チーム成績情報および個人成績情報を登録する際に用いる入力インターフェース（以下、「入力Ｉ／Ｆ」という。）１２５と、集計処理その他の処理を行う際に各部を制御するシステム制御部１２６と、所定のデータを格納するＲＯＭ／ＲＡＭ１２７と、を有し、各情報の登録指示およびその他の制御を行うようになっている。
【００３２】
なお、例えば、本実施形態の通信制御部１２１は、本発明の取得手段を構成し、成績情報データベース１２３は、本発明の成績情報保持手段を構成する。また、例えば、本実施形態の集計処理部１２４は、本発明の算出手段を構成し、システム制御部１２６は、本発明の提供制御手段を構成する。
【００３３】
通信制御部１２１は、システム制御部１２６の制御の下、通信回線を介して入退場検出装置１１０および端末装置１３０と通信回線を確立するようになっており、各観戦者情報の受信および観戦者成績情報の送信を行うようになっている。
【００３４】
具体的には、通信制御部１２１は、所定の入退場検出装置１１０の指示の下、当該入退場検出装置１１０と通信回線を確立するようになっており、この通信回線の確立した後に、当該入退場検出装置１１０から送信された各観戦者Ｐが有する携帯識別情報、当該入退場検出装置１１０が当該携帯識別情報を取得した際の現在時刻情報、および、観戦者Ｐが入退場した競技場の競技識別情報を含む観戦者Ｐの入場情報または退場情報を取得し、当該取得した各情報を、後述するように予め登録された観戦者名称に対応付けて観戦者データベース１２２に登録するようになっている。
【００３５】
また、この通信制御部１２１は、所定の端末装置１３０の指示の下、当該端末装置１３０の通信回線を確立するようになっており、この通信回線を確立した後に、後述するように集計処理された観戦者成績情報を当該端末装置１３０に送信するようになっている。
【００３６】
観戦者データベース１２２には、予め入力Ｉ／Ｆ１２５を介して登録された各観戦者Ｐの名称情報が、当該各観戦者Ｐが有する携帯用電話装置Ｍの携帯識別情報に対応付けて格納されるようになっている。また、この観戦者データベース１２２には、システム制御部１２６の制御の下、この予め登録された各観戦者Ｐの名称情報に対応付けて通信制御部１２１によって取得された観戦者情報が登録および格納されるようになっている。そして、この観戦者データベース１２２は、集計処理部１２４の指示に基づいて格納されている観戦者情報を当該集計処理部１２４に出力するようになっている。
【００３７】
成績情報データベース１２３には、入力Ｉ／Ｆ１２５を介して登録された各スポーツチームのチーム成績情報と、当該各スポーツチームにおける各スポーツ選手の個人成績情報と、が成績に反映される事実が行われた日時を示す日時情報および当該スポーツの試合が行われた競技場に対応付けて格納されるようになっている。具体的には、この成績情報データベース１２３には、チーム成績情報または個人成績情報に反映される事実が生じた際の日時情報および当該スポーツの試合が行われた競技場の競技場識別情報とともに、各チーム成績情報および各個人成績情報が格納されるようになっている。
【００３８】
例えば、野球におけるチーム成績情報の場合には、野球チームのリーグ戦における勝敗数、ホームラン数、ヒット数、奪三振数、各回における得失点などの当該野球チームにおける成績の情報を、各結果が生じた日および当該結果が生じた時刻を示す日時情報および競技が行われた競技場識別情報が、成績情報データベース１２３に格納されるようになっている。また、野球における個人成績情報の場合には、野球チームに所属する各野球選手のリーグ戦におけるヒット数、ホームラン数、出塁回数、得失点数、エラー数、奪三振数などの各野球選手個人が有する成績の情報を、各結果が生じた日時情報とともに、成績情報データベース１２３に格納されるようになっている。
【００３９】
なお、本実施形態では、各チーム成績情報における勝敗数などの成績情報に反映される事実が生じた日時がある程度の時間帯を有する場合には、当該事実が発生した時刻および当該事実が終了した時刻を日時情報として成績情報データベース１２３に格納するようになっている。
【００４０】
また、成績情報データベース１２３に格納される成績は、野球の試合に限らず、サッカーにおけるゴール数やアシスト数、バレーボールにおける獲得または非獲得セット数、アメリカンフットボールにおけるタッチダウン数や獲得ヤード数など、各スポーツの試合においてチーム成績または個人成績の対象となる情報が成績情報データベース１２３には格納されるようになっている。
【００４１】
集計処理部１２４は、観戦者データベース１２２から各観戦者Ｐの観戦者情報を取得するとともに、成績情報データベース１２３から各成績情報を取得するようになっており、各観戦者Ｐ毎に各観戦履歴に対応付けてチーム成績情報および個人成績情報の集計処理を行うようになっている。また、この集計処理部１２４は、端末装置１３０の指示に基づいて、集計処理された各情報を、観戦者成績情報として通信制御部１２１を介して当該端末装置１３０に提供するようになっている。
【００４２】
具体的には、この集計処理部１２４は、取得された観戦者情報に基づいて、観戦者Ｐが来場した競技場、当該競技場に入場された時刻および退場された時刻を認識し、当該認識された競技場および各時刻に基づいて各観戦者Ｐの競技場における滞在している滞在時刻を観戦履歴として算出するようになっている。また、この集計処理部１２４は、当該算出された所定の競技場における滞在時刻と、日時に対応付けられたチーム成績情報および個人成績情報と、に基づいて、観戦者Ｐが所定の競技場に滞在している際の各スポーツチームの成績および当該各スポーツチームの各選手の個人成績を集計し、各観戦者Ｐ毎に集計された情報を観戦者成績情報として端末装置１３０に提供するようになっている。
【００４３】
また、各チーム成績情報における勝敗数などの成績情報に反映される事実が生じた日時がある程度の時間帯を有する場合には、集計処理部１２４は、全ての時間帯において観戦者が当該競技場に来場していたか否かを判断して当該チーム成績情報を集計するようになっている。
【００４４】
例えば、本実施形態の集計処理部１２４は、野球の試合においては、算出された観戦者Ｐにおける滞在時刻に基づいて、当該滞在時におけるチームの勝率、打率、ホームラン数、防御率、奪三振数、および、各選手個人の打率、ホームラン数、出塁率などの情報を集計し、当該集計された情報を端末装置１３０に提供するようになっている。
【００４５】
なお、本実施形態の集計処理部１２４は、予め定められた時刻毎または日毎に上述の集計処理を行ってもよいし、各端末装置１３０の指示に基づいて上述の集計処理を行ってもよい。ただし、予め定められた時刻毎に上述の集計処理が行われた場合には、本実施形態の集計処理部１２４は、観戦者データベース１２２に当該算出された各観戦者成績情報を格納するようになっており、各端末装置１３０は、観戦者データベース１２２に格納された各観戦者成績情報を取得するようになっている。
【００４６】
また、本実施形態の集計処理部１２４において算出される観戦者成績情報は、野球の試合に限らず、上述と同様に、サッカーにおけるゴール数やアシスト数、バレーボールにおけるセット率、アメリカンフットボールにおけるタッチダウン数や獲得ヤード数など、各スポーツの試合においてチーム成績または個人成績の対象となる情報が、成績情報データベース１２３に格納されたチーム成績情報および個人成績情報の各成績情報に基づいて集計されるようになっている。
【００４７】
上記に加えて、本実施形態の集計処理部１２４は、算出された各観戦者成績情報に基づいて、各スポーツチーム毎または当該各スポーツチームの各選手の毎の各成績の順位（以下、「順位情報」という。）を算出するようになっており、当該算出された順位情報を、各観戦者成績情報と同様に、端末装置１３０に提供するようになっている。
【００４８】
入力Ｉ／Ｆ１２５は、成績データベースに、日時情報に対応付けてチーム成績情報および個人成績情報の各成績情報を登録する際に用いられるようになっている。この入力Ｉ／Ｆ１２５は、各種確認ボタン、選択ボタン及び数字キー等の多数のキーを含むリモートコントロール装置またはキーボードなどのインターフェースにより構成されている。
【００４９】
システム制御部１２６は、主に、中央演算処理装置（以下、ＣＰＵという。）から構成され、集計処理およびチーム成績情報および個人成績情報の各成績情報の登録処理などの各処理を行う際に、各部を制御するようになっている。
【００５０】
また、このシステム制御部１２６は、端末装置１３０と通信回線が確立した際に、当該端末装置１３０の指示に基づいて、集計処理部１２４その他の各部を制御して、集計処理または集計された観戦者成績情報および順位情報を当該端末装置１３０に提供するための制御を行うようになっている。
【００５１】
ＲＯＭ／ＲＡＭ１２７には、集計処理などの所定の動作を行う際の制御プログラムが格納されているとともに、各処理を行う際に一時的に当該各処理に必要となるデータの格納を行うようになっている。
【００５２】
以上、本実施形態の情報提供システム１００は、スポーツ競技を観戦する観戦者Ｐの観戦履歴に対応づけられて競技場にて競技を行っているスポーツの成績を提供するスポーツに関する情報提供システム１００であって、観戦者Ｐがスポーツの競技場に来場した際に、当該観戦者Ｐの競技場における入場時刻および退場時刻を検出する入退場検出装置１１０と、スポーツを行うチームまたは当該チームに所属するスポーツ選手の少なくとも何れか一方の競技中の成績を示す成績情報が時刻に対応づけて登録される成績情報データベース１２３と、検出された観戦者Ｐの競技場における入場時刻および退場時刻と、成績情報データベース１２３に登録されている成績情報と、に基づいて、観戦者Ｐが競技場に来場している際のチームまたは各スポーツ選手の少なくとも何れか一方の成績を集計する集計処理部１２４と、集計された各観戦者Ｐが競技場に来場している際の成績を各観戦者Ｐの成績情報として提供する端末装置１３０と、を備える構成を有している。
【００５３】
この構成により、本実施形態の情報提供システム１００は、各観戦者Ｐの行動に起因させてスポーツチームまたは各スポーツチームの各スポーツ選手の成績を提供することができるので、試合自体を興趣させることができるとともに、チーム成績および各選手の成績についても異なる視点から興趣させることができる。
【００５４】
この結果、本実施形態の情報提供システム１００は、各スポーツ観戦の興趣性を向上させるとともに、スポーツの競技場における観客動員数を増加させ、競技場の雰囲気を盛り上げて白熱した試合を提供させることができる。
【００５５】
なお、本実施形態では、携帯用電話装置Ｍを用いて入退場検出装置１１０にて観戦者Ｐの入場情報および退場情報を検出するようになっているが、ＩＣカードを用いて入退場検出装置１１０によって入場情報および退場情報を検出するようにしてもよいし、携帯用電話装置Ｍにおけるアプリケーションプログラムを用い、入退場検出装置１１０と無線通信回線よって入場情報および退場情報を検出するようにしてもよい。
【００５６】
また、本実施形態において、集計処理部１２４は、全ての時間帯において観戦者が当該競技場に来場していたか否かを判断して当該チーム成績情報を集計するようになっているが、所定の時間帯、例えば、試合開始から終了までの時間帯のうち２／３以上当該競技場に来場していることが観戦履歴として算出された場合には、当該成績を集計結果に含めるようにしてもよい。
【図面の簡単な説明】
【００５７】
【図１】本願に係る情報提供システムにおける一実施形態の構成を示すブロック図である。
【符号の説明】
【００５８】
１００  …  情報提供システム
１１０  …  入退場検出装置
１２０  …  サーバ装置
１２１  …  通信制御部
１２２  …  観戦者データベース
１２３  …  成績情報データベース
１２４  …  集計処理部
１２５  …  入力Ｉ／Ｆ
１２６  …  システム制御部
１２７  …  ＲＯＭ／ＲＡＭ
１３０  …  端末装置
１４０  …  通信回線網
【図１】
2006236271.tif 000003